(57)【要約】      （修正有）【課題】発電コストを削減したシーソー式小水力発電装置を提供する。【解決手段】シーソー１片側端に、スクリューが回転し発電する小水力発電装置と外部からの液体を出し入れする中間タンク１３を側面に固定した横長水槽６を取り付ける。シーソー側面横には、小タンク７が中に入った縦長水槽５を置く。シーソー反対端には、液体が入っていない状態の縦長水槽６の重さと等しい重さのウエート台１０を取り付けてウエート台１０の下に鎖８を付け、鎖８の真下に鎖の重なり部分を解消する為のスプリング４台を設置する。【選択図】図１
0003159314.tif 000002
【実用新案登録請求の範囲】
【請求項１】
シーソー片側端にスクリュー付き小水力発電装置と外部からの液体を出し入れする中間タンクを側面に固定した横長水槽を取り付け側面横には、横長水槽とほぼ等しい小タンクが中に入った縦長水槽を置いて下部をホースで繋ぐ、液体の入れ方は、ホースが下った状態で横長水槽を下げて、横長水槽が上がっている状態の時に縦長水槽内の小タンクが縦長水槽上部から微かに見える程度の液体量分を横長水槽に入れる。ホースを横長水槽下部からシーソーの中心部まで固定する。反対側端には、液体が入っていない状態の横長水槽の重さと等しい重さのウェート台を取付けてウェート台の下に鎖を付ける。鎖の真下に鎖の重なり部分を解消する為のスプリング台を設置する。横長水槽の重さと流動する液体とのバランスを鎖で調整し、上下運動、液体の流動がスムーズに動くことでスクリューが回転し発電する小水力発電装置。
【請求項２】
（請求項１）の小タンクから別の液体を汲み上げて中間タンクに入るようにして横長水槽側が下がるようにするため、ウェート台、鎖側に下がる程度の調整用ウェートを付け、横長水槽が上がった状態にしておく。別の液体を汲み上げるため、外部に水受け流し装置が付いた貯水槽を置き、貯水槽上部に滑車、小タンク上部に輪軸滑車を固定し、小タンクと汲み上げタンクをワイヤーで結び、横長水槽側が下がると貯水槽の中から汲み上げタンクが上がり受けタンクに流れる。そして横長水槽の中間タンクには液体の流水口があり、下がった時に栓が外れるようにしてあるので貯水槽に液体が戻るようになっている。さらに受けタンクにも液体の流水口があり、横長水槽が上がると栓が外れて中間タンクに入いるようにしてあるので貯水槽の液体が循環しシーソーを動かす動力となり縦長水槽と横長水槽の液体が流動してスクリュー付き小水力発電装置が稼動し発電する装置。
【考案の詳細な説明】
【技術分野】
【０００１】  本考案は、シーソーがバランスよく動く方法を利用して液体を流動させて発電するシーソー式小水力発電装置に関する。
【背景技術】
【０００２】  従来の水力発電は、ダム、川での発電が主で環境にやさしい発電ですが、悪天候などにより大きなリスクを負ってしまうことがある。
【考案が解決しようとする課題】
【０００３】  従来の技術とは異なった方法で考案した小水力発電装置で環境にやさしく、悪天候の問題もなく、この装置を置く場所があれば、どこにでも設置することが可能な装置である。
【課題を解決するための手段】
【０００４】  リスクを伴うエネルギーを利用せずに運動エネルギーを作り出し、発電コストを削減して発電することが可能な方法で、今までにない特徴を持ったシーソー式小水力発電装置である。
【考案の効果】
【０００５】  悪天候の問題もなく、設置場所は平坦な場所であれば発電が可能であり、発電コストを削減出来る小水力発電装置。
【図面の簡単な説明】
【０００６】
【図１】本考案のシーソー式小水力発電装置のシーソー、シーソー台のみ記載した正面図である。
【図２】本考案の図１のシーソー式小水力発電装置の右側面図である。
【図３】本考案の図２のシーソー式小水力発電装置の（２３）の断面図である。
【図４】本考案の図２のシーソー式小水力発電装置の（１３）の断面図である。
【図５】本考案の図１のシーソー式小水力発電装置の（３０）の汲み上げタンクの上がった状態の断面図である。
【図６】本考案の図１のシーソー式小水力発電装置の（３０）の汲み上げタンクの下がった状態の断面図である。
【図７】本考案の図２のシーソー式小水力発電装置の（５）の断面図である。
【符号の説明】１シーソー
２シャフト
３シーソー台フレーム
４スプリング
５縦長水槽
６横長水槽
７小タンク
８鎖
９鎖支え板
１０ウェート台
１１ピロブロック
１２支え板
１３中間タンク
１４中間タンク補強板
１５スクリュウ用タンク
１６ホース
１７チェーン
１８水受けカバー
１９水受け流し装置
２０輪軸滑車
２１ワイヤー
２２調整用ウェート
２３受けタンク
２４滑車
２５スプロケット
２６シャフト
２７シーソーフレーム受け台
２８押し出し棒
２９小タンク受け
３０汲み上げタンク
３１貯水槽
３２管
３３ホースバンド
３４調整用ウェート
３５ワイヤー
３６吊り上げ金具
３７スクリュー発電機
３８ウェート
３９ウェート支え板
４０縦長水槽フレーム
４１フロート
４２ステンレスガイド板
４３マグネット
４４Ｏリング
４５案内棒
４６鎖
４７チェーンガイド
４８押し出し棒支え
４９シャフト
５０ホース支え
【考案を実施するための形態】
【０００７】  シーソー端に横長水槽を取付け、反対側端にウェート台、鎖を付け、縦長水槽と横長水槽をホースで繋ぎ小さな物で作り実験が成功したので大きなものに作り変えて実験している最中でホース耐久性、輪軸滑車、滑車、を使って、摩擦での力の減少や液体の蒸発、電力容量などのデータを取り色々試しています。
【実施例】
【０００８】  発電能力を発揮するために個々の機能をどのように工夫したら発電能力を高めることができるのかを試しています。
【考案の効果】
【０００９】  本考案が完成し、市場に出たときには電気のない国にも設置可能であり、また、この装置を縦や横に並べ容量の大きいものにすることが可能な装置でもあり、太陽光発電や風力発電よりも安定した発電が可能なシーソー式小水力発電装置だと思います。
【図１】
0003159314.tif 000003
【図２】
0003159314.tif 000004
【図３】
0003159314.tif 000005
【図４】
0003159314.tif 000006
【図５】
0003159314.tif 000007
【図６】
0003159314.tif 000008
【図７】
0003159314.tif 000009
【手続補正書】
【提出日】平成22年2月3日(2010.2.3)
【手続補正１】
【補正対象書類名】実用新案登録請求の範囲
【補正対象項目名】全文
【補正方法】変更
【補正の内容】
【実用新案登録請求の範囲】
【請求項１】
シーソー片側端に、スクリューが回転し発電する小水力発電装置と外部からの液体を出し入れする中間タンクを側面に固定した横長水槽を取り付け、シーソー側面横には、横長水槽とほぼ等しい小タンクが中に入った縦長水槽を置いて横長水槽の下部と縦長水槽の下部をホースで繋ぎ、シーソー反対端には、液体が入っていない状態の縦長水槽の重さと等しい重さのウエート台を取り付けてウエート台の下に鎖を付け、鎖の真下に鎖の重なり部分を解消する為のスプリング台を設置した、横長水槽の重さと流動する液体とのバランスを鎖で調整し、上下運動、液体の流動がスムーズに動くことでスクリューが回転し発電する小水力発電装置。
【請求項２】
前記小タンクの中には、液体と上部にエアーが入っていて小タンクが下がるときの重さを利用しシーソーが上下運動を出来るようにする為、別の液体を汲み上げて中間タンクに入るようにして横長水槽側が下がるようにするため、ウエート台、鎖側に下がる程度の調整用ウエートを付け、横長水槽が上がった状態にしておき、別の液体を汲み上げるため、外部に水受け装置が付いた貯水槽を置き、貯水槽上部に滑車、小タンク上部に輪軸滑車を固定し、小タンクと汲み上げタンクをワイヤーで結び、横長水槽側が下がると貯水槽の中から汲み上げタンクが上がり、別の液体が受けタンクに流れ、横長水槽の中間タンクには液体の流水口があり、横長水槽が下がった時に栓が外れるようにしてあるので貯水槽に液体が戻るようになり受けタンクにも液体の流水口があるので横長水槽が上がると栓が外れて中間タンクに入るので貯水槽の液体が循環しシーソーを動かす動力となり縦長水槽と横長水槽の液体が流動してスクリューが回転し発電する請求項１に記載の小水力発電装置。
【手続補正書】
【提出日】平成22年3月10日(2010.3.10)
【手続補正１】
【補正対象書類名】実用新案登録請求の範囲
【補正対象項目名】請求項１
【補正方法】変更
【補正の内容】
【請求項１】
シーソー片側端に、スクリューが回転し発電する小水力発電装置と外部からの液体を出し入れする中間タンクを側面に固定した横長水槽を取り付け、シーソー側面横には、横長水槽とほぼ等しい小タンクが中に入った縦長水槽を置いて横長水槽の下部と縦長水槽の下部をホースで繋ぎ、シーソー反対端には、液体が入っていない状態の横長水槽の重さと等しい重さのウエート台を取り付けてウエート台の下に鎖を付け、鎖の真下に鎖の重なり部分を解消する為のスプリング台を設置した、横長水槽の重さと流動する液体とのバランスを鎖で調整し、上下運動、液体の流動がスムーズに動くことでスクリューが回転し発電する小水力発電装置。